(57)【要約】  送信装置（２）は、画像データを取得する画像読取部（１１）と、画像データの送信先を指定するための操作部（１５）と、操作部（１５）によって指定された送信先に画像データを送信する通信部（２１）と、表示部（１６）と、ＨＤＤ（１９）と、制御部（１０）と、を備える。制御部（１０）は、同報送信が行なわれると、当該同報送信が行なわれた複数の送信先をそれぞれ対応付けて、履歴情報としてＨＤＤ（１９）に記憶させる。制御部（１０）は、操作部（１５）によって指定された送信先が履歴情報に含まれている場合に、表示部（１６）に、指定された送信先に対応付けて記憶されている送信先を、第１の情報として表示させる。
2019230163.tif 000002
【特許請求の範囲】
【請求項１】
画像データを取得する画像取得部と、
前記画像データの送信先を指定するための操作部と、
前記操作部を介して指定された送信先に前記画像データを送信する送信部と、
表示部と、
記憶部と、
制御部と、を備え、
前記制御部は、同報送信が行なわれると、当該同報送信が行なわれた複数の送信先をそれぞれ対応付けて、履歴情報として前記記憶部に記憶させ、
前記制御部は、前記操作部を介して指定された送信先が前記履歴情報に含まれている場合に、前記表示部に、前記指定された送信先に対応付けて前記記憶部に記憶されている送信先を、第１の情報として表示させる、送信装置。
【請求項２】
前記操作部は、前記表示部に重ねて配置されているタッチパネルを含み、
前記制御部は、前記操作部を介して送信先が指定され、かつ、前記タッチパネル上で予め定められている第１の操作が行なわれた場合であって、前記指定された送信先が前記履歴情報に含まれている場合に、前記表示部に、前記第１の情報を表示させる、請求項１に記載の送信装置。
【請求項３】
前記記憶部は、複数の送信先を、グループを特定するためのグループ情報と対応付けて予め記憶しており、
前記制御部は、前記記憶部に、前記操作部を介して指定された送信先に対応付けられているグループ情報が記憶されている場合に、前記表示部に、当該グループ情報を第２の情報として表示させる、請求項１に記載の送信装置。
【請求項４】
前記操作部は、前記表示部に重ねて配置されているタッチパネルを含み、
前記制御部は、前記操作部を介して送信先が指定され、かつ、前記タッチパネル上で予め定められている第２の操作が行なわれた場合であって、前記記憶部に、前記操作部を介して指定された送信先に対応付けられているグループ情報が記憶されている場合に、前記表示部に、前記第２の情報を表示させる、請求項３に記載の送信装置。
【請求項５】
前記第１の操作は、予め定められている領域を、予め定められている第１時間以上長押しする操作である、請求項２に記載の送信装置。
【請求項６】
前記第２の操作は、予め定められている前記領域を、予め定められている第２時間以上長押しする操作である、請求項４に記載の送信装置。
【請求項７】
前記制御部は、前記操作部を介して指定された送信先が前記履歴情報に含まれている場合に、前記表示部に、前記指定された送信先に対応付けて前記記憶部に記憶されている送信先を、同報送信が行なわれた回数の多い順に並んだ状態で、第１の情報として表示させる、請求項１に記載の送信装置。
【請求項８】
前記制御部は、前記操作部を介して指定された送信先が前記履歴情報に含まれている場合に、前記表示部に、前記指定された送信先に対応付けて前記記憶部に記憶されている送信先を、同報送信が行なわれた日時の古い順に、送信ジョブごとに並んだ状態で、第１の情報として表示させる、請求項１に記載の送信装置。
【請求項９】
請求項１に記載の送信装置と、
画像データに基づく画像を記録媒体に形成する画像形成部と、を備える、画像形成装置。
【発明の詳細な説明】
【技術分野】
【０００１】
本発明は、送信装置及び画像形成装置に関し、特に、データの送信先を表示する技術に関する。
【背景技術】
【０００２】
指定された送信先にデータを送信する際に、データの送信先の候補を表示する技術が知られている。【０００３】
例えば、特許文献１には、アドレス帳データに登録されている氏名が順に表示されている状態でユーザーによるピンチイン操作を受け付けた場合に、利用頻度の高い氏名を表示させる技術が開示されている。【０００４】
特許文献２には、送信元となるメールアドレス、及び、宛先として登録されているメールアドレスのそれぞれに対して用途を予め関連付けて記憶しておき、電子メールを作成する際に、送信元のメールアドレスが選択されると、当該メールアドレスに対応する用途名と同じ用途名が関連付けられている宛先のリストを表示させる技術が開示されている。
【先行技術文献】
【特許文献】
【０００５】
【特許文献１】特開２０１４−２２９１６１号公報
【特許文献２】特開２００３−２８１０４３号公報
【発明の概要】
【０００６】
複数の送信先に向けて同一のデータを送信する同報送信を行なう場合、ユーザーは、データの送信先を複数指定する必要がある。
【０００７】
特許文献１に開示されている技術では、利用頻度の高い氏名を表示させるものの、同報送信における送信先の指定を意図する技術ではない。また、特許文献１に開示されている技術では、ユーザーが送信先を指定する際に、表示されている多くの氏名の中から所望の送信先を探し出す必要がある。そのため、ユーザーの負担が大きく、誤った送信先が指定されたり、送信先の指定漏れが生じたりするおそれがある。
【０００８】
特許文献２に開示されている技術では、複数の送信先の指定を容易にするために、指定した宛先に関連する宛先のリストが表示されるものの、同報送信における送信先の指定を容易にするための技術ではない。また、当該リストを表示させるためには、送信元となるメールアドレス、及び、宛先として登録されているメールアドレスのそれぞれに対して用途を予め関連付けて記憶させておく必要があるため手間がかかる。
【０００９】
本発明は、上記の事情に鑑みなされたものであり、ユーザーが、同報送信を行なう際に、所望する送信先を容易かつ正確に指定できるようにすることを目的とする。
【００１０】
本発明の一局面に係る送信装置は、画像データを取得する画像取得部と、画像データの送信先を指定するための操作部と、操作部を介して指定された送信先に画像データを送信する送信部と、表示部と、記憶部と、制御部と、を備え、制御部は、同報送信が行なわれると、当該同報送信が行なわれた複数の送信先をそれぞれ対応付けて、履歴情報として記憶部に記憶させ、制御部は、操作部を介して指定された送信先が履歴情報に含まれている場合に、表示部に、指定された送信先に対応付けて記憶部に記憶されている送信先を、第１の情報として表示させる。
【００１１】
本発明の別の一局面に係る画像形成装置は、上記した送信装置と、画像データに基づく画像を記録媒体に形成する画像形成部と、を備える。
【００１２】
本発明によれば、同報送信を行なう送信先を指定する際に、ユーザーによって同報送信の送信先として指定される可能性の高い送信先が表示されるので、ユーザーは、同報送信を行なう際に、所望する送信先を容易に指定することができる。また、誤った送信先が指定されたり、送信先の指定漏れが生じたりする可能性が低くなるので、ユーザーは、同報送信を行なう際に、所望する送信先を正確に指定することができる。
【図面の簡単な説明】
【００１３】
【図１】本発明の一実施形態に係る送信装置を含む画像形成装置の外観を示す斜視図である。
【図２】本発明の一実施形態に係る送信装置を含む画像形成装置の内部構成を示すブロック図である。
【図３】送信先表示処理を示すフローチャートである。
【図４】送信先表示処理を示すフローチャートである。
【図５】ホーム画面の一例を示す図である。
【図６】設定画面の一例を示す図である。
【図７】第１の画面の一例を示す図である。
【図８】第２の画面の一例を示す図である。
【図９】第３の画面の一例を示す図である。
【図１０】第２の画面の他の一例を示す図である。
【発明を実施するための形態】
【００１４】
以下、本発明の一実施形態に係る送信装置及び画像形成装置について図面を参照して説明する。図１は、本発明の一実施形態に係る送信装置を含む画像形成装置の外観を示す斜視図である。
【００１５】
画像形成装置１は、ファクシミリ機能、コピー機能、プリンター機能、及びスキャナー機能等の複数の機能を兼ね備えている複合機である。
【００１６】
本実施の形態において、画像形成装置１は、画像読取部１１によって取得された画像データを、ユーザーによって指定された送信先に送信する送信機能を有する。上記した送信先としては、画像データの送信先を特定できる情報であれば特に限定されないが、例えば、メールアドレス、ＩＰ(Internet Protocol)アドレス、又はファクシミリ番号等の宛先、又は、送信先名等を示す。
【００１７】
図１を参照して、画像形成装置１の筐体７には、画像形成装置１の様々な機能を実現するための複数の機器が収容されている。例えば、筐体７には、画像読取部１１、画像形成部１２（図１には図示しない。）、定着部１３（図１には図示しない。）、及び給紙部１４等が収容されている。
【００１８】
画像読取部１１は、原稿を搬送する原稿搬送部６と、原稿搬送部６によって搬送されてくる原稿又はコンタクトガラスに載置されている原稿を光学的に読み取るスキャナーと、を含むＡＤＦ（Auto Document Feeder）である。画像読取部１１は、光照射部によって原稿を照射し、その反射光をＣＣＤ（Charge-Coupled Device）センサーで受光することによって、原稿を読み取って画像データを生成する。なお、画像読取部１１は、特許請求の範囲における画像取得部に対応している。
【００１９】
画像形成部１２は、感光体ドラム、帯電装置、露光装置、現像装置、及び転写装置を含む。画像形成部１２は、画像読取部１１によって生成された画像データ、又は、ネットワークを介して接続されているパーソナルコンピューター若しくは他のファクシミリ装置等から送られてくる画像データ等に基づいて、給紙部１４から供給されてくる記録紙にトナー像を形成する。
【００２０】
定着部１３は、画像形成部１２の画像形成処理によって表面にトナー像が形成された記録紙を加熱及び加圧することによってトナー像を記録紙に定着させる。定着部１３によって定着された後、画像が形成された記録紙は排紙トレイ８に排出される。
【００２１】
給紙部１４は、用紙カセットに収容されている記録紙、又は手差しトレイに載置されている記録紙を図示しないピックアップローラーによって１枚ずつ引出して画像形成部１２へと送り出す。
【００２２】
画像形成装置１は、操作部１５を備える。ユーザーは、操作部１５を介して、画像形成装置１によって実行可能な各種機能についての指示等を入力したり、画像データの送信先を指定したりすることができる。操作部１５は、表示部１６を含む。表示部１６は、液晶ディスプレイを含む表示装置である。表示部１６は、画像形成装置１によって実行可能な各種機能に関する各種の画面を表示する。操作部１５は、表示部１６に重ねて配置されているタッチパネル１５Ａを含む。タッチパネル１５Ａは、タッチ操作、スワイプ操作、及び、フリック操作等のユーザーによる各種の操作を検知する。
【００２３】
図２は、本発明の一実施形態に係る送信装置を含む画像形成装置の内部構成を示すブロック図である。図２を参照して、画像形成装置１は、制御ユニット１００を含む。制御ユニット１００は、プロセッサー、ＲＡＭ(Random Access Memory）、及びＲＯＭ（Read Only Memory）等を含む。プロセッサーは、例えば、ＣＰＵ（Central Processing Unit）、ＭＰＵ（Micro Processing Unit）、又はＡＳＩＣ（Application Specific Integrated Circuit）等である。制御ユニット１００は、内蔵するＲＯＭ又はＨＤＤ（Hard Disk Drive）１９に記憶されている制御プログラムを上記のプロセッサーによって実行することによって、制御部１０として機能する。
【００２４】
制御ユニット１００は、原稿搬送部６、画像読取部１１、画像形成部１２、定着部１３、給紙部１４、操作部１５、画像処理部１７、画像メモリー１８、ＨＤＤ１９、ファクシミリ通信部２０、及び通信部２１等と電気的に接続されている。本実施の形態において、原稿搬送部６、画像読取部１１、操作部１５、表示部１６、ＨＤＤ１９、ファクシミリ通信部２０、通信部２１、及び制御ユニット１００は、送信先表示処理を実現するための送信装置２として機能する。
【００２５】
制御ユニット１００は、画像形成装置１の全体制御を司る。より詳細には、制御ユニット１００は、画像形成装置１の各部の動作、並びに、ネットワークを介して接続されているパーソナルコンピューター等の外部装置２２との通信等の処理を実行する。
【００２６】
画像処理部１７は、画像読取部１１によって生成された画像データに対して、必要に応じて画像処理を実行する。
【００２７】
画像メモリー１８は、画像読取部１１によって生成された印刷対象の画像データを一時的に記憶する領域を含む。
【００２８】
ＨＤＤ１９は、画像読取部１１によって生成された画像データ等を含む各種データを記憶する大容量の記憶装置である。ＨＤＤ１９は、画像形成装置１の一般的な動作を実現するための各種コンピュータープログラムを記憶している。
【００２９】
ＨＤＤ１９は、本実施の形態に係る送信先表示処理を実行するための制御プログラムを記憶している。上記プロセッサーは、当該制御プログラムに従って動作することにより、制御部１０として、本実施の形態に係る送信先表示処理を実行する。なお、制御部１０は、コンピュータープログラムに基づく動作によらず、ハード回路により動作可能に構成されてもよい。
【００３０】
ユーザーは、操作部１５を介した入力によって、ＨＤＤ１９に記憶されているアドレス帳に、画像データの送信先を登録できる。当該アドレス帳には、メールアドレス、ＩＰアドレス、又はファクシミリ番号等の宛先と、送信先名とが対応付けて記憶されている。
【００３１】
ユーザーは、操作部１５を介した入力によって、例えばメーリングリストとして予め登録されている複数の送信先を指定して、グループとして登録している。ＨＤＤ１９は、指定された複数の送信先を、グループを特定するためのグループ名と対応付けて、グループ登録情報として記憶している。上記グループは、例えば所属部門等の共通している属性に応じて、それぞれ設定されている。
【００３２】
制御部１０は、同報送信を実行すると、ＨＤＤ１９に、当該同報送信が行なわれた複数の送信先をそれぞれ対応付けて、同報送信の送信ジョブごとに履歴情報として記憶させる。制御部１０は、当該履歴情報を、同報送信の送信ジョブを実行するごとに更新する。ここで、同報送信とは、複数の送信先に向けて、同一の画像データを送信する送信ジョブを示す。
【００３３】
ファクシミリ通信部２０は、公衆回線への接続を行ない、公衆回線を介して画像データの送受信を行なう。
【００３４】
通信部２１は、ＬＡＮ(Local Area Network)ボード等の通信モジュールを含む。画像形成装置１は、通信部２１を介して、ネットワーク上のパーソナルコンピューター等の外部装置２２とデータ通信を行なう。
【００３５】
ファクシミリ通信部２０及び通信部２１は、特許請求の範囲における送信部に対応する。
【００３６】
画像形成装置１の各部には図示しない電源が接続され、この電源が電力を供給することによって、画像形成装置１の各部が動作する。
【００３７】
［動作］
図３及び図４は、送信先表示処理を示すフローチャートである。以下、送信先表示処理を実行するための制御プログラムについて、画像形成装置１の動作と併せて説明する。制御部１０は、表示部１６に、画像データの送信先を設定するための設定画面を表示させると、当該制御プログラムの実行を開始する。
【００３８】
画像形成装置１の電源が投入されると、制御部１０は、表示部１６に、画像形成装置１によって実行可能な複数の機能のうちのいずれかを選択するためのホーム画面を表示させる。図５は、ホーム画面の一例を示す図である。図５を参照して、ホーム画面３０は、ソフトキーとして、コピー機能を選択するためのキー３１、送信機能を選択するためのキー３２、及び、ファクシミリ機能を選択するためのキー３３等を含む。
【００３９】
ユーザーは、画像読取部１１のコンタクトガラスに送信対象の原稿を載置し、キー３２を押下する。タッチパネル１５Ａを介してキー３２の押下を受け付けると、制御部１０は、表示部１６に、画像データの送信先を設定するための設定画面を表示させる。
【００４０】
図６は、設定画面４０の一例を示す図である。図６を参照して、設定画面４０は、ソフトキーとして、送信対象の原稿の画像をプレビュー画像として表示させるためのキー４１、送信先をワンタッチで選択するためのキー４２Ａ乃至４２Ｆ、アドレス帳を表示させるためのキー４３、アドレス帳に登録されていない任意の送信先を入力するためのキー４４、アドレス帳に登録されていない共有フォルダを新規に作成するためのキー４５等を含む。
【００４１】
設定画面４０を確認したユーザーは、アドレス帳を表示させるためにキー４３を押下したものとする。タッチパネル１５Ａを介してキー４３の押下を受け付けると、制御部１０は、アドレス帳を表示するための指示を受け付けたと判定し（ステップＳ１１にてＹＥＳ）、ＨＤＤ１９に記憶されているアドレス帳に基づいて、表示部１６に、第１の画面を表示させる（ステップＳ１２）。
【００４２】
図７は、第１の画面の一例を示す図である。図７を参照して、第１の画面５０は、領域５１を含む。領域５１には、ＨＤＤ１９に記憶されているアドレス帳に含まれている送信先が表示されている。第１の画面５０はまた、アドレス帳に含まれている全ての送信先を領域５１に表示できない場合に、ユーザーによる操作にしたがって、領域５１に表示されている送信先を他の送信先に変更するためのスクロールバー５２を含む。
【００４３】
第１の画面５０はさらに、ソフトキーとして、ユーザーによって指定された送信先を画像データの送信先として設定するためのキー５３と、アドレス帳の表示を中止して、設定画面を表示させるためのキー５４と、を含む。
【００４４】
（１）同報送信を行なわない場合
ユーザーは、第１の画面５０を確認して、所望の送信先が表示されている領域５１Ａに対してタッチ操作を行なうことで、送信先を指定する。制御部１０は、タッチパネル１５Ａを介して、ユーザーによるタッチ操作を受け付けると、表示部１６に、領域５１Ａを、他の送信先が表示されている領域とは異なる色で表示させる。
【００４５】
ユーザーは、領域５１Ａに対してタッチ操作を行なった後、３秒以内に領域５１Ａから指を離したものとする。制御部１０は、タッチパネル１５Ａから出力されてくる、領域５１Ａに対するタッチ操作が検出されなくなったことを示す信号に基づいて、領域５１Ａが予め定められている第１時間（この場合、３秒）以上長押しされていないと判定する（ステップＳ１３にてＮＯ）。
【００４６】
ユーザーは、領域５１Ａから指を離した後、キー５３を押下する。タッチパネル１５Ａを介して、キー５３の押下を受け付けると、制御部１０は、アドレス帳の表示を中止するための指示を受け付けていないと判定するとともに（ステップＳ２０にてＮＯ）、送信先を設定するための指示を受け付けていると判定し（ステップＳ２２にてＹＥＳ）、ユーザーによって指定されている送信先を、画像データの送信先として設定する（ステップＳ２３）。この場合、制御部１０は、領域５１Ａに表示されている送信先を画像データの送信先として設定する。
【００４７】
ユーザーは、画像データの送信先を設定した後、操作部１５を介して、画像データを送信するための指示を入力する。制御部１０は、画像データを送信するための指示を受け付けると、画像読取部１１に対し、コンタクトガラスに載置されている原稿に基づく画像データを生成させ、通信部２１を介して、生成された画像データを、指定された送信先に送信する。
【００４８】
また、ユーザーは、操作部１５を介して、生成された画像データに基づく画像を印刷するための指示を入力することができる。制御部１０は、当該指示を受け付けると、画像形成部１２等に対し、生成された画像データに基づく画像を記録紙に印刷させる。
【００４９】
なお、ユーザーが、第１の画面５０の表示の中止を所望して、キー５４を押下した場合、制御部１０は、アドレス帳の表示を中止するための指示を受け付けていると判定し（ステップＳ２０にてＹＥＳ）、表示部１６に、設定画面４０を表示させる（ステップＳ２１）。
【００５０】
（２）同報送信を行なう場合
（２−１）過去に同報送信が行なわれた送信先のうちから送信先を指定する場合
ユーザーは、第１の画面５０を確認して、所望の送信先が表示されている領域５１Ａに対してタッチ操作を行なうことで、送信先を指定する。制御部１０は、タッチパネル１５Ａを介して、ユーザーによるタッチ操作を受け付けると、表示部１６に、領域５１Ａを、他の送信先が表示されている領域とは異なる色で表示させる。
【００５１】
ユーザーは、領域５１Ａに対してタッチ操作を行なった後、領域５１Ａから指を離すことなく、領域５１Ａを３秒以上長押ししているものとする。制御部１０は、タッチパネル１５Ａから出力されてくる、領域５１Ａに対するタッチ操作が検出されていることを示す信号に基づいて、領域５１Ａが予め定められている第１時間（この場合、３秒）以上長押しされていると判定すると（ステップＳ１３にてＹＥＳ）、ＨＤＤ１９に記憶されている履歴情報に基づいて、指定された送信先に対して過去に同報送信が行なわれたか否かを判定する（ステップＳ１４）。
【００５２】
ＨＤＤ１９に記憶されている履歴情報に、指定された送信先が含まれている場合、制御部１０は、指定された送信先に対して過去に同報送信が行なわれたと判定し（ステップＳ１４にてＹＥＳ）、ＨＤＤ１９に記憶されている履歴情報に基づいて、表示部１６に、第２の画面を表示させる（ステップＳ１５）。
【００５３】
第２の画面を表示させる際に、制御部１０は、ＨＤＤ１９に記憶されている履歴情報から、指定された送信先に対応付けて記憶されている送信先を抽出する。制御部１０は、抽出された送信先を、同報送信が行なわれた回数の多い順に降順に並び替えて、第２の画面を表示するための第１の表示データを生成する。なお、抽出された送信先に同一の送信先が複数存在する場合、制御部１０は、そのうちの１つの送信先のみを残して第１の表示データを生成する。
【００５４】
図８は、第２の画面の一例を示す図である。図８を参照して、制御部１０は、表示部１６に、上記のようにして生成された第１の表示データに基づいて、第２の画面６０を表示させる。制御部１０は、表示部１６に、第２の画面６０を、第１の画面５０上に重ねて表示させている。制御部１０は、表示部１６に、指定された送信先とともに過去に同報送信が行なわれたことのある送信先を、第２の画面６０内に、第１の情報として表示させる。制御部１０は、表示部１６に、第１の情報としての送信先を、同報送信が行なわれた回数の多い順に降順に並んだ状態で表示させている。
【００５５】
ユーザーが、第２の画面６０を確認して、領域５１Ａに対してタッチ操作を行なってから６秒以内に領域５１Ａから指を離すと、制御部１０は、タッチパネル１５Ａから出力されてくる、領域５１Ａに対するタッチ操作が検出されなくなったことを示す信号に基づいて、長押しが解除されたと判定する（ステップＳ１６にてＹＥＳ）。このとき、制御部１０は、領域５１Ａに対する指定を解除することなく、表示部１６に、領域５１Ａを、他の送信先が表示されている領域とは異なる色で表示されている状態で維持させる。
【００５６】
ユーザーは、第２の画面６０のうち、所望の送信先が表示されている領域６０Ａに対してタッチ操作を行なうことで、送信先を指定する。制御部１０は、タッチパネル１５Ａを介して、ユーザーによるタッチ操作を受け付けると、表示部１６に、領域６０Ａを、他の送信先が表示されている領域とは異なる色で表示させる。ユーザーは、さらに他の送信先を指定する場合は、所望の送信先が表示されている他の領域に対して、上記したタッチ操作を行なうことで、送信先を指定する。
【００５７】
ユーザーは、第２の画面６０において送信先を指定した後、キー５３を押下する。タッチパネル１５Ａを介して、キー５３の押下を受け付けると、制御部１０は、アドレス帳の表示を中止するための指示を受け付けていないと判定するとともに（ステップＳ２０にてＮＯ）、送信先を設定するための指示を受け付けていると判定し（ステップＳ２２にてＹＥＳ）、ユーザーによって指定されている送信先を、画像データの送信先として設定する（ステップＳ２３）。この場合、制御部１０は、領域５１Ａおよび領域６０Ａに表示されている送信先を画像データの送信先として設定する。
【００５８】
ユーザーは、画像データの送信先を設定した後、操作部１５を介して、画像データを送信するための指示を入力する。制御部１０は、画像データを送信するための指示を受け付けると、画像読取部１１に対し、コンタクトガラスに載置されている原稿に基づく画像データを生成させ、通信部２１を介して、生成された画像データを、指定された送信先に送信する。
【００５９】
また、ユーザーは、操作部１５を介して、生成された画像データに基づく画像を印刷するための指示を入力することができる。制御部１０は、当該指示を受け付けると、画像形成部１２等に対し、生成された画像データに基づく画像を記録紙に印刷させる。
【００６０】
（２−２）グループを用いて送信先を指定する場合
ユーザーは、第１の画面５０を確認して、所望の送信先が表示されている領域５１Ａに対してタッチ操作を行なうことで、送信先を指定する。制御部１０は、タッチパネル１５Ａを介して、ユーザーによるタッチ操作を受け付けると、表示部１６に、領域５１Ａを、他の送信先が表示されている領域とは異なる色で表示させる。
【００６１】
ユーザーは、領域５１Ａに対してタッチ操作を行なった後、領域５１Ａから指を離すことなく、領域５１Ａを３秒以上長押ししているものとする。制御部１０は、タッチパネル１５Ａから出力されてくる、領域５１Ａに対するタッチ操作が検出されていることを示す信号に基づいて、領域５１Ａが予め定められている第１時間（この場合、３秒）以上長押しされていると判定すると（ステップＳ１３にてＹＥＳ）、ＨＤＤ１９に記憶されている履歴情報に基づいて、指定された送信先に対して過去に同報送信が行なわれたか否かを判定する（ステップＳ１４）。
【００６２】
ＨＤＤ１９に記憶されている履歴情報に、指定された送信先が含まれていない場合、制御部１０は、指定された送信先に対して過去に同報送信が行なわれていないと判定し（ステップＳ１４にてＮＯ）、タッチパネル１５Ａから出力されてくる信号に基づいて、長押しが解除されたか否かを判定する（ステップＳ１６）。
【００６３】
ユーザーは、領域５１Ａから指を離すことなく、領域５１Ａに対してタッチ操作を行なってから６秒以上領域５１Ａの長押しを続けているものとする。制御部１０は、タッチパネル１５Ａから出力されてくる、領域５１Ａに対するタッチ操作が検出されていることを示す信号に基づいて、領域５１Ａが予め定められている第２時間（この場合、６秒）以上長押しされていると判定すると（ステップＳ１７にてＹＥＳ）、ＨＤＤ１９に記憶されているグループ登録情報に、指定された送信先に対応するグループ名が含まれているか否かを判定する（ステップＳ１８）。
【００６４】
グループ登録情報に、指定された送信先に対応付けられているグループ名が含まれている場合、制御部１０は、対応するグループ名が含まれていると判定し（ステップＳ１８にてＹＥＳ）、グループ登録情報に基づいて、表示部１６に、第３の画面を表示させる（ステップＳ１９）。
【００６５】
なお、グループ登録情報に、指定された送信先に対応付けられているグループ名が含まれていない場合、制御部１０は、対応するグループ名が含まれていないと判定し（ステップＳ１８にてＮＯ）、ステップＳ２０の処理に進む。
【００６６】
第３の画面を表示させる際に、制御部１０は、ＨＤＤ１９に記憶されているグループ登録情報から、指定された送信先に対応付けられているグループ名を抽出する。制御部１０は、抽出したグループ名に基づいて、第３の画面を表示するための第２の表示データを生成する。
【００６７】
図９は、第３の画面の一例を示す図である。図９を参照して、制御部１０は、表示部１６に、上記のようにして生成された第２の表示データに基づいて、第３の画面７０を表示させる。制御部１０は、表示部１６に、第３の画面７０を、第１の画面５０上に重ねて表示させている。制御部１０は、表示部１６に、指定された送信先に対応付けられているグループ名を、第３の画面７０内に、第２の情報として表示させる。
【００６８】
ユーザーは、第３の画面７０のうち、所望のグループ名が表示されている領域７０Ａに対してタッチ操作を行なうことで、送信先を指定する。制御部１０は、タッチパネル１５Ａを介して、ユーザーによるタッチ操作を受け付けると、表示部１６に、領域７０Ａを、他の送信先が表示されている領域とは異なる色で表示させる。ユーザーは、さらに他のグループを指定する場合は、所望のグループ名が表示されている他の領域に対して、上記したタッチ操作を行なうことで、送信先を指定する。
【００６９】
第３の画面７０において送信先を指定した後、ユーザーは、キー５３を押下するタッチパネル１５Ａを介して、キー５３の押下を受け付けると、制御部１０は、アドレス帳の表示を中止するための指示を受け付けていないと判定するとともに（ステップＳ２０にてＮＯ）、送信先を設定するための指示を受け付けていると判定し（ステップＳ２２にてＹＥＳ）、ユーザーによって指定されている送信先を、画像データの送信先として設定する（ステップＳ２３）。この場合、制御部１０は、領域５１Ａに表示されている送信先と、領域６０Ａに表示されているグループ名に対応付けられている複数の送信先のうちの、領域５１Ａに表示されている送信先以外の送信先とを、画像データの送信先として設定する。
【００７０】
ユーザーは、画像データの送信先を設定した後、操作部１５を介して、画像データを送信するための指示を入力する。制御部１０は、画像データを送信するための指示を受け付けると、画像読取部１１に対し、コンタクトガラスに載置されている原稿に基づく画像データを生成させ、通信部２１を介して、生成された画像データを指定された送信先に送信する。
【００７１】
また、ユーザーは、操作部１５を介して、生成された画像データに基づく画像を印刷するための指示を入力することができる。制御部１０は、当該指示を受け付けると、画像形成部１２等に対し、生成された画像データに基づく画像を記録紙に印刷させる。
【００７２】
上記実施の形態によれば、制御部１０は、同報送信が行なわれると、当該同報送信が行なわれた複数の送信先をそれぞれ対応付けて、履歴情報としてＨＤＤ１９に記憶させる。制御部１０は、操作部１５を介して指定された送信先が履歴情報に含まれている場合に、表示部１６に、指定された送信先に対応付けてＨＤＤ１９に記憶されている送信先を、第１の情報として表示させる。
【００７３】
これによって、同報送信を行なう送信先を指定する際に、ユーザーによって同報送信の送信先として指定される可能性の高い送信先が表示されるので、ユーザーは、同報送信を行なう際に、所望する送信先を容易に指定することができる。また、誤った送信先が指定されたり、送信先の指定漏れが生じたりする可能性が低くなるので、ユーザーは、同報送信を行なう際に、所望する送信先を正確に指定することができる。
【００７４】
また、同報送信が行なわれると、制御部１０が履歴情報をＨＤＤ１９に記憶させるので、ユーザーは、第１の情報を表示させるために、過去に同報送信が行なわれたことのある複数の送信先を予め登録しておく必要がなくなる。したがって、登録に要するユーザーの手間を省くことができるので、ユーザーの利便性がより一層向上する。
【００７５】
また上記実施の形態によれば、制御部１０は、操作部１５を介して送信先が指定され、かつ、タッチパネル１５Ａ上で領域５１Ａが第１時間以上長押しされた場合であって、指定された送信先が履歴情報に含まれている場合に、表示部１６に、第１の情報を表示させる。なお、領域５１Ａを第１時間以上長押しする操作は、特許請求の範囲における、予め定められている第１の操作の一例である。
【００７６】
このように、ユーザーは、タッチパネル１５Ａ上で領域５１Ａを第１時間（例えば、３秒）以上長押しするという簡単な操作によって、表示部１６に第１の情報を表示させることができる。したがって、ユーザーの利便性がより一層向上する。
【００７７】
また上記実施の形態によれば、ＨＤＤ１９は、複数の送信先を、グループを特定するためのグループ名と対応付けて予め記憶しており、制御部１０は、ＨＤＤ１９に、操作部１５を介して指定された送信先に対応付けられているグループ名が記憶されている場合に、表示部１６に、当該グループ名を第２の情報として表示させる。なお、グループ名は、特許請求の範囲におけるグループ情報の一例である。
【００７８】
このように、同報送信を行なう送信先を指定する際に、ユーザーによって同報送信の送信先として指定される可能性の高い送信先を含むグループ名が表示される。したがって、ユーザーは、同報送信を行なう際に、所望する送信先をより一層容易に指定することができる。また、誤った送信先が指定されたり、送信先の指定漏れが生じたりする可能性がさらに低くなるので、ユーザーは、同報送信を行なう際に、所望する送信先をより一層正確に指定することができる。
【００７９】
また上記実施の形態によれば、制御部１０は、操作部１５を介して送信先が指定され、かつ、タッチパネル１５Ａ上で領域５１Ａが第２時間以上長押しされた場合であって、ＨＤＤ１９に、指定された送信先に対応付けられているグループ名が記憶されている場合に、表示部１６に、第２の情報を表示させる。なお、領域５１Ａを第２時間以上長押しする操作は、特許請求の範囲における、予め定められている第２の操作の一例である。
【００８０】
このように、ユーザーは、タッチパネル１５Ａを第２時間（例えば、６秒）以上長押しするという簡単な操作によって、表示部１６に第２の情報を表示させることができる。したがって、ユーザーの利便性がより一層向上する。
【００８１】
また上記実施の形態によれば、制御部１０は、操作部１５を介して、生成された画像データに基づく画像を印刷するための指示を受け付けると、画像形成部１２等に対し、当該画像データに基づく画像を記録紙に印刷させる。
【００８２】
これによって、ユーザーは、画像データを送信する際に、送信対象の画像データの内容を確認することができるので、ユーザーの利便性がより一層向上する。
【００８３】
（第１の変形例）
本発明の第１の変形例に係る送信装置２を含む画像形成装置１の構成は、第２の画面の構成が異なる点を除き、上記した実施の形態に係る画像形成装置１と同じである。以下、上記した実施の形態と異なる点について説明する。
【００８４】
第２の画面を表示させる際に、制御部１０は、ＨＤＤ１９に記憶されている履歴情報から、指定された送信先に対応付けて記憶されている送信先を送信ジョブごとに抽出する。制御部１０は、抽出した送信ジョブごとの送信先に対応する送信先名を、同報送信が行なわれた日時の古い順に、すなわち昇順に、送信ジョブごとに並び替えて、第２の画面を表示するための第３の表示データを生成する。
【００８５】
図１０は、第２の画面の他の一例を示す図である。図１０を参照して、制御部１０は、表示部１６に、上記のようにして生成された第３の表示データに基づいて、第２の画面８０を表示させる。制御部１０は、表示部１６に、第２の画面８０を、第１の画面５０上に重ねて表示させている。制御部１０は、表示部１６に、指定された送信先とともに過去に同報送信が行なわれたことのある送信先に対応する送信先名を、第２の画面８０内に、送信ジョブごとに第１の情報として表示させる。制御部１０は、表示部１６に、第１の情報としての送信先名を、同報送信が行なわれた日時の古い順に、送信ジョブごとに並んだ状態で表示させている。
【００８６】
ユーザーは、第２の画面８０を確認して、所望の送信先が表示されている領域８０Ａに対してタッチ操作を行なうことで、送信先を指定する。制御部１０は、タッチパネル１５Ａを介して、ユーザーによるタッチ操作を受け付けると、表示部１６に、領域８０Ａを、他の送信先が表示されている領域とは異なる色で表示させる。ユーザーによる上記したタッチ操作によって、領域８０Ａに示されている全ての送信先名に対応する送信先が、画像データの送信先として指定される。ユーザーは、さらに他の送信先を指定する場合は、所望の送信先が表示されている他の領域に対して、上記したタッチ操作を行なうことで、送信先を指定する。
【００８７】
（その他の変形例）
上記実施の形態によれば、第３の画面７０には、指定された送信先に対応付けられているグループ名が表示されたが、本発明はそのような実施の形態に限定されない。例えば、第３の画面７０には、グループ名に代えて、当該グループ名に対応付けられている複数の送信先のうち、指定された送信先以外の送信先が表示されてもよい。
【００８８】
また、ユーザーによって、第３の画面７０のうち、所望のグループ名が表示されている領域７０Ａが長押しされた場合に、制御部１０が、グループ名の表示を、当該グループ名に対応付けられている複数の送信先のうち、指定された送信先以外の送信先を表示するように、当該表示を切り替える構成であってもよい。
【００８９】
また上記実施の形態によれば、予め定められている第１の操作として、第１時間以上長押しする操作を例示したが、本発明はそのような実施の形態に限定されない。例えば、第２の画面６０又は第２の画面８０上の２点を同時にタッチする操作、第２の画面６０若しくは第２の画面８０上をスワイプする操作又はフリックする操作が、第１の操作として予め定められていてもよい。
【００９０】
また上記実施の形態によれば、予め定められている第２の操作として、第２時間以上長押しする操作を例示したが、本発明はそのような実施の形態に限定されない。例えば、第３の画面７０上の２点を同時にタッチする操作、第３の画面７０上をスワイプする操作又はフリックする操作が、第２の操作として予め定められていてもよい。
【００９１】
また上記実施の形態によれば、グループ情報としてグループ名が使用されたが、本発明はそのような実施の形態に限定されない。グループ情報は、グループを特定できる情報であれば特に限定されないが、例えば、グループＩＤ(Identification)、又はグループ番号等であってもよい。
【００９２】
また上記実施の形態によれば、画像取得部として画像読取部１１を例示したが、本発明はそのような実施の形態に限定されない。例えば、ＨＤＤ１９に画像データが予め記憶されており、制御部１０が、ユーザーによって操作部１５を介して選択された当該画像データを、指定された送信先に送信する構成であってもよい。この場合、ＨＤＤ１９が画像取得部として機能する。
【００９３】
また上記実施の形態では、画像形成部１２等は、記録紙に画像を形成したが、本発明はそのような実施の形態に限定されない。画像形成部１２等は、記録紙に限らず、他の記録媒体に画像を形成してもよい。他の記録媒体としては、例えば、ＯＨＰ（Overhead Projector）シートを例示できる。
【００９４】
なお、本発明は上記実施の形態の構成に限られず種々の変形が可能である。例えば、上記実施形態では、本発明に係る画像形成装置の一実施形態としてカラー複合機が用いられたが、これは一例に過ぎず、モノクロ複合機、又は他の電子機器、例えば、プリンター、コピー機、又はファクシミリ装置等の他の画像形成装置が用いられてもよい。
【００９５】
また、図１乃至図１０を用いて示した上記実施形態の構成及び処理は、本発明の一実施形態に過ぎず、本発明を当該構成及び処理に限定する趣旨ではない。
【図１】
2019230163.tif 000003
【図２】
2019230163.tif 000004
【図３】
2019230163.tif 000005
【図４】
2019230163.tif 000006
【図５】
2019230163.tif 000007
【図６】
2019230163.tif 000008
【図７】
2019230163.tif 000009
【図８】
2019230163.tif 000010
【図９】
2019230163.tif 000011
【図１０】
2019230163.tif 000012
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
画像データを取得する画像取得部と、
前記画像データの送信先を指定するための操作部と、
前記操作部を介して指定された送信先に前記画像データを送信する送信部と、
表示部と、
記憶部と、
制御部と、を備え、
前記制御部は、同報送信が行なわれると、当該同報送信が行なわれた複数の送信先をそれぞれ対応付けて、履歴情報として前記記憶部に記憶させ、
前記操作部は、前記表示部に重ねて配置されているタッチパネルを含み、
前記制御部は、前記操作部を介して送信先が指定され、かつ、前記タッチパネル上で予め定められている第１の操作が行なわれた場合であって、前記指定された送信先が前記履歴情報に含まれている場合に、前記表示部に、前記指定された送信先に対応付けて前記記憶部に記憶されている送信先を、第１の情報として表示させ、
前記第１の操作は、予め定められている領域を、予め定められている第１時間以上長押しする操作である、送信装置。
【請求項２】
前記制御部は、前記操作部を介して指定された送信先が前記履歴情報に含まれている場合に、前記表示部に、前記指定された送信先に対応付けて前記記憶部に記憶されている送信先を、同報送信が行なわれた回数の多い順に並んだ状態で、第１の情報として表示させる、請求項１に記載の送信装置。
【請求項３】
前記制御部は、前記操作部を介して指定された送信先が前記履歴情報に含まれている場合に、前記表示部に、前記指定された送信先に対応付けて前記記憶部に記憶されている送信先を、同報送信が行なわれた日時の古い順に、送信ジョブごとに並んだ状態で、第１の情報として表示させる、請求項１に記載の送信装置。
【請求項４】
画像データを取得する画像取得部と、
前記画像データの送信先を指定するための操作部と、
前記操作部を介して指定された送信先に前記画像データを送信する送信部と、
表示部と、
記憶部と、
制御部と、を備え、
前記制御部は、同報送信が行なわれると、当該同報送信が行なわれた複数の送信先をそれぞれ対応付けて、履歴情報として前記記憶部に記憶させ、
前記記憶部は、前記複数の送信先を、グループを特定するためのグループ情報と対応付けて予め記憶しており、
前記操作部は、前記表示部に重ねて配置されているタッチパネルを含み、
前記制御部は、前記操作部を介して送信先が指定され、かつ、前記タッチパネル上で予め定められている第２の操作が行なわれた場合であって、前記記憶部に、前記操作部を介して指定された送信先に対応付けられているグループ情報が記憶されている場合に、前記表示部に、当該グループ情報を第２の情報として表示させ、
前記第２の操作は、予め定められている前記領域を、予め定められている第２時間以上長押しする操作である、送信装置。
【請求項５】
請求項１乃至請求項４のいずれかに記載の送信装置と、
画像データに基づく画像を記録媒体に形成する画像形成部と、を備える、画像形成装置。
【手続補正２】
【補正対象書類名】明細書
【補正対象項目名】全文
【補正方法】変更
【補正の内容】
【発明の詳細な説明】
【技術分野】
【０００１】
本発明は、送信装置及び画像形成装置に関し、特に、データの送信先を表示する技術に関する。
【背景技術】
【０００２】
指定された送信先にデータを送信する際に、データの送信先の候補を表示する技術が知られている。
【０００３】
例えば、特許文献１には、アドレス帳データに登録されている氏名が順に表示されている状態でユーザーによるピンチイン操作を受け付けた場合に、利用頻度の高い氏名を表示させる技術が開示されている。
【０００４】
特許文献２には、送信元となるメールアドレス、及び、宛先として登録されているメールアドレスのそれぞれに対して用途を予め関連付けて記憶しておき、電子メールを作成する際に、送信元のメールアドレスが選択されると、当該メールアドレスに対応する用途名と同じ用途名が関連付けられている宛先のリストを表示させる技術が開示されている。
【先行技術文献】
【特許文献】
【０００５】
【特許文献１】特開２０１４−２２９１６１号公報
【特許文献２】特開２００３−２８１０４３号公報
【発明の概要】
【０００６】
複数の送信先に向けて同一のデータを送信する同報送信を行なう場合、ユーザーは、データの送信先を複数指定する必要がある。
【０００７】
特許文献１に開示されている技術では、利用頻度の高い氏名を表示させるものの、同報送信における送信先の指定を意図する技術ではない。また、特許文献１に開示されている技術では、ユーザーが送信先を指定する際に、表示されている多くの氏名の中から所望の送信先を探し出す必要がある。そのため、ユーザーの負担が大きく、誤った送信先が指定されたり、送信先の指定漏れが生じたりするおそれがある。
【０００８】
特許文献２に開示されている技術では、複数の送信先の指定を容易にするために、指定した宛先に関連する宛先のリストが表示されるものの、同報送信における送信先の指定を容易にするための技術ではない。また、当該リストを表示させるためには、送信元となるメールアドレス、及び、宛先として登録されているメールアドレスのそれぞれに対して用途を予め関連付けて記憶させておく必要があるため手間がかかる。
【０００９】
本発明は、上記の事情に鑑みなされたものであり、ユーザーが、同報送信を行なう際に、所望する送信先を容易かつ正確に指定できるようにすることを目的とする。
【００１０】
本発明の一局面に係る送信装置は、画像データを取得する画像取得部と、画像データの送信先を指定するための操作部と、操作部を介して指定された送信先に画像データを送信する送信部と、表示部と、記憶部と、制御部と、を備え、制御部は、同報送信が行なわれると、当該同報送信が行なわれた複数の送信先をそれぞれ対応付けて、履歴情報として記憶部に記憶させ、操作部は、表示部に重ねて配置されているタッチパネルを含み、制御部は、操作部を介して送信先が指定され、かつ、タッチパネル上で予め定められている第１の操作が行なわれた場合であって、指定された送信先が履歴情報に含まれている場合に、表示部に、指定された送信先に対応付けて記憶部に記憶されている送信先を、第１の情報として表示させ、第１の操作は、予め定められている領域を、予め定められている第１時間以上長押しする操作である。
本発明の別の一局面に係る送信装置は、画像データを取得する画像取得部と、
画像データの送信先を指定するための操作部と、操作部を介して指定された送信先に画像データを送信する送信部と、表示部と、記憶部と、制御部と、を備え、制御部は、同報送信が行なわれると、当該同報送信が行なわれた複数の送信先をそれぞれ対応付けて、履歴情報として記憶部に記憶させ、記憶部は、複数の送信先を、グループを特定するためのグループ情報と対応付けて予め記憶しており、操作部は、表示部に重ねて配置されているタッチパネルを含み、制御部は、操作部を介して送信先が指定され、かつ、タッチパネル上で予め定められている第２の操作が行なわれた場合であって、記憶部に、操作部を介して指定された送信先に対応付けられているグループ情報が記憶されている場合に、表示部に、当該グループ情報を第２の情報として表示させ、第２の操作は、予め定められている領域を、予め定められている第２時間以上長押しする操作である。
【００１１】
本発明の別の一局面に係る画像形成装置は、上記した送信装置と、画像データに基づく画像を記録媒体に形成する画像形成部と、を備える。
【００１２】
本発明によれば、同報送信を行なう送信先を指定する際に、ユーザーによって同報送信の送信先として指定される可能性の高い送信先が表示されるので、ユーザーは、同報送信を行なう際に、所望する送信先を容易に指定することができる。また、誤った送信先が指定されたり、送信先の指定漏れが生じたりする可能性が低くなるので、ユーザーは、同報送信を行なう際に、所望する送信先を正確に指定することができる。
【図面の簡単な説明】
【００１３】
【図１】本発明の一実施形態に係る送信装置を含む画像形成装置の外観を示す斜視図である。
【図２】本発明の一実施形態に係る送信装置を含む画像形成装置の内部構成を示すブロック図である。
【図３】送信先表示処理を示すフローチャートである。
【図４】送信先表示処理を示すフローチャートである。
【図５】ホーム画面の一例を示す図である。
【図６】設定画面の一例を示す図である。
【図７】第１の画面の一例を示す図である。
【図８】第２の画面の一例を示す図である。
【図９】第３の画面の一例を示す図である。
【図１０】第２の画面の他の一例を示す図である。
【発明を実施するための形態】
【００１４】
以下、本発明の一実施形態に係る送信装置及び画像形成装置について図面を参照して説明する。図１は、本発明の一実施形態に係る送信装置を含む画像形成装置の外観を示す斜視図である。
【００１５】
画像形成装置１は、ファクシミリ機能、コピー機能、プリンター機能、及びスキャナー機能等の複数の機能を兼ね備えている複合機である。
【００１６】
本実施の形態において、画像形成装置１は、画像読取部１１によって取得された画像データを、ユーザーによって指定された送信先に送信する送信機能を有する。上記した送信先としては、画像データの送信先を特定できる情報であれば特に限定されないが、例えば、メールアドレス、ＩＰ(Internet Protocol)アドレス、又はファクシミリ番号等の宛先、又は、送信先名等を示す。
【００１７】
図１を参照して、画像形成装置１の筐体７には、画像形成装置１の様々な機能を実現するための複数の機器が収容されている。例えば、筐体７には、画像読取部１１、画像形成部１２（図１には図示しない。）、定着部１３（図１には図示しない。）、及び給紙部１４等が収容されている。
【００１８】
画像読取部１１は、原稿を搬送する原稿搬送部６と、原稿搬送部６によって搬送されてくる原稿又はコンタクトガラスに載置されている原稿を光学的に読み取るスキャナーと、を含むＡＤＦ（Auto Document Feeder）である。画像読取部１１は、光照射部によって原稿を照射し、その反射光をＣＣＤ（Charge-Coupled Device）センサーで受光することによって、原稿を読み取って画像データを生成する。なお、画像読取部１１は、特許請求の範囲における画像取得部に対応している。
【００１９】
画像形成部１２は、感光体ドラム、帯電装置、露光装置、現像装置、及び転写装置を含む。画像形成部１２は、画像読取部１１によって生成された画像データ、又は、ネットワークを介して接続されているパーソナルコンピューター若しくは他のファクシミリ装置等から送られてくる画像データ等に基づいて、給紙部１４から供給されてくる記録紙にトナー像を形成する。
【００２０】
定着部１３は、画像形成部１２の画像形成処理によって表面にトナー像が形成された記録紙を加熱及び加圧することによってトナー像を記録紙に定着させる。定着部１３によって定着された後、画像が形成された記録紙は排紙トレイ８に排出される。
【００２１】
給紙部１４は、用紙カセットに収容されている記録紙、又は手差しトレイに載置されている記録紙を図示しないピックアップローラーによって１枚ずつ引出して画像形成部１２へと送り出す。
【００２２】
画像形成装置１は、操作部１５を備える。ユーザーは、操作部１５を介して、画像形成装置１によって実行可能な各種機能についての指示等を入力したり、画像データの送信先を指定したりすることができる。操作部１５は、表示部１６を含む。表示部１６は、液晶ディスプレイを含む表示装置である。表示部１６は、画像形成装置１によって実行可能な各種機能に関する各種の画面を表示する。操作部１５は、表示部１６に重ねて配置されているタッチパネル１５Ａを含む。タッチパネル１５Ａは、タッチ操作、スワイプ操作、及び、フリック操作等のユーザーによる各種の操作を検知する。
【００２３】
図２は、本発明の一実施形態に係る送信装置を含む画像形成装置の内部構成を示すブロック図である。図２を参照して、画像形成装置１は、制御ユニット１００を含む。制御ユニット１００は、プロセッサー、ＲＡＭ(Random Access Memory）、及びＲＯＭ（Read Only Memory）等を含む。プロセッサーは、例えば、ＣＰＵ（Central Processing Unit）、ＭＰＵ（Micro Processing Unit）、又はＡＳＩＣ（Application Specific Integrated Circuit）等である。制御ユニット１００は、内蔵するＲＯＭ又はＨＤＤ（Hard Disk Drive）１９に記憶されている制御プログラムを上記のプロセッサーによって実行することによって、制御部１０として機能する。
【００２４】
制御ユニット１００は、原稿搬送部６、画像読取部１１、画像形成部１２、定着部１３、給紙部１４、操作部１５、画像処理部１７、画像メモリー１８、ＨＤＤ１９、ファクシミリ通信部２０、及び通信部２１等と電気的に接続されている。本実施の形態において、原稿搬送部６、画像読取部１１、操作部１５、表示部１６、ＨＤＤ１９、ファクシミリ通信部２０、通信部２１、及び制御ユニット１００は、送信先表示処理を実現するための送信装置２として機能する。
【００２５】
制御ユニット１００は、画像形成装置１の全体制御を司る。より詳細には、制御ユニット１００は、画像形成装置１の各部の動作、並びに、ネットワークを介して接続されているパーソナルコンピューター等の外部装置２２との通信等の処理を実行する。
【００２６】
画像処理部１７は、画像読取部１１によって生成された画像データに対して、必要に応じて画像処理を実行する。
【００２７】
画像メモリー１８は、画像読取部１１によって生成された印刷対象の画像データを一時的に記憶する領域を含む。
【００２８】
ＨＤＤ１９は、画像読取部１１によって生成された画像データ等を含む各種データを記憶する大容量の記憶装置である。ＨＤＤ１９は、画像形成装置１の一般的な動作を実現するための各種コンピュータープログラムを記憶している。
【００２９】
ＨＤＤ１９は、本実施の形態に係る送信先表示処理を実行するための制御プログラムを記憶している。上記プロセッサーは、当該制御プログラムに従って動作することにより、制御部１０として、本実施の形態に係る送信先表示処理を実行する。なお、制御部１０は、コンピュータープログラムに基づく動作によらず、ハード回路により動作可能に構成されてもよい。
【００３０】
ユーザーは、操作部１５を介した入力によって、ＨＤＤ１９に記憶されているアドレス帳に、画像データの送信先を登録できる。当該アドレス帳には、メールアドレス、ＩＰアドレス、又はファクシミリ番号等の宛先と、送信先名とが対応付けて記憶されている。
【００３１】
ユーザーは、操作部１５を介した入力によって、例えばメーリングリストとして予め登録されている複数の送信先を指定して、グループとして登録している。ＨＤＤ１９は、指定された複数の送信先を、グループを特定するためのグループ名と対応付けて、グループ登録情報として記憶している。上記グループは、例えば所属部門等の共通している属性に応じて、それぞれ設定されている。
【００３２】
制御部１０は、同報送信を実行すると、ＨＤＤ１９に、当該同報送信が行なわれた複数の送信先をそれぞれ対応付けて、同報送信の送信ジョブごとに履歴情報として記憶させる。制御部１０は、当該履歴情報を、同報送信の送信ジョブを実行するごとに更新する。ここで、同報送信とは、複数の送信先に向けて、同一の画像データを送信する送信ジョブを示す。
【００３３】
ファクシミリ通信部２０は、公衆回線への接続を行ない、公衆回線を介して画像データの送受信を行なう。
【００３４】
通信部２１は、ＬＡＮ(Local Area Network)ボード等の通信モジュールを含む。画像形成装置１は、通信部２１を介して、ネットワーク上のパーソナルコンピューター等の外部装置２２とデータ通信を行なう。
【００３５】
ファクシミリ通信部２０及び通信部２１は、特許請求の範囲における送信部に対応する。
【００３６】
画像形成装置１の各部には図示しない電源が接続され、この電源が電力を供給することによって、画像形成装置１の各部が動作する。
【００３７】
［動作］
図３及び図４は、送信先表示処理を示すフローチャートである。以下、送信先表示処理を実行するための制御プログラムについて、画像形成装置１の動作と併せて説明する。制御部１０は、表示部１６に、画像データの送信先を設定するための設定画面を表示させると、当該制御プログラムの実行を開始する。
【００３８】
画像形成装置１の電源が投入されると、制御部１０は、表示部１６に、画像形成装置１によって実行可能な複数の機能のうちのいずれかを選択するためのホーム画面を表示させる。図５は、ホーム画面の一例を示す図である。図５を参照して、ホーム画面３０は、ソフトキーとして、コピー機能を選択するためのキー３１、送信機能を選択するためのキー３２、及び、ファクシミリ機能を選択するためのキー３３等を含む。
【００３９】
ユーザーは、画像読取部１１のコンタクトガラスに送信対象の原稿を載置し、キー３２を押下する。タッチパネル１５Ａを介してキー３２の押下を受け付けると、制御部１０は、表示部１６に、画像データの送信先を設定するための設定画面を表示させる。
【００４０】
図６は、設定画面４０の一例を示す図である。図６を参照して、設定画面４０は、ソフトキーとして、送信対象の原稿の画像をプレビュー画像として表示させるためのキー４１、送信先をワンタッチで選択するためのキー４２Ａ乃至４２Ｆ、アドレス帳を表示させるためのキー４３、アドレス帳に登録されていない任意の送信先を入力するためのキー４４、アドレス帳に登録されていない共有フォルダを新規に作成するためのキー４５等を含む。
【００４１】
設定画面４０を確認したユーザーは、アドレス帳を表示させるためにキー４３を押下したものとする。タッチパネル１５Ａを介してキー４３の押下を受け付けると、制御部１０は、アドレス帳を表示するための指示を受け付けたと判定し（ステップＳ１１にてＹＥＳ）、ＨＤＤ１９に記憶されているアドレス帳に基づいて、表示部１６に、第１の画面を表示させる（ステップＳ１２）。
【００４２】
図７は、第１の画面の一例を示す図である。図７を参照して、第１の画面５０は、領域５１を含む。領域５１には、ＨＤＤ１９に記憶されているアドレス帳に含まれている送信先が表示されている。第１の画面５０はまた、アドレス帳に含まれている全ての送信先を領域５１に表示できない場合に、ユーザーによる操作にしたがって、領域５１に表示されている送信先を他の送信先に変更するためのスクロールバー５２を含む。
【００４３】
第１の画面５０はさらに、ソフトキーとして、ユーザーによって指定された送信先を画像データの送信先として設定するためのキー５３と、アドレス帳の表示を中止して、設定画面を表示させるためのキー５４と、を含む。
【００４４】
（１）同報送信を行なわない場合
ユーザーは、第１の画面５０を確認して、所望の送信先が表示されている領域５１Ａに対してタッチ操作を行なうことで、送信先を指定する。制御部１０は、タッチパネル１５Ａを介して、ユーザーによるタッチ操作を受け付けると、表示部１６に、領域５１Ａを、他の送信先が表示されている領域とは異なる色で表示させる。
【００４５】
ユーザーは、領域５１Ａに対してタッチ操作を行なった後、３秒以内に領域５１Ａから指を離したものとする。制御部１０は、タッチパネル１５Ａから出力されてくる、領域５１Ａに対するタッチ操作が検出されなくなったことを示す信号に基づいて、領域５１Ａが予め定められている第１時間（この場合、３秒）以上長押しされていないと判定する（ステップＳ１３にてＮＯ）。
【００４６】
ユーザーは、領域５１Ａから指を離した後、キー５３を押下する。タッチパネル１５Ａを介して、キー５３の押下を受け付けると、制御部１０は、アドレス帳の表示を中止するための指示を受け付けていないと判定するとともに（ステップＳ２０にてＮＯ）、送信先を設定するための指示を受け付けていると判定し（ステップＳ２２にてＹＥＳ）、ユーザーによって指定されている送信先を、画像データの送信先として設定する（ステップＳ２３）。この場合、制御部１０は、領域５１Ａに表示されている送信先を画像データの送信先として設定する。
【００４７】
ユーザーは、画像データの送信先を設定した後、操作部１５を介して、画像データを送信するための指示を入力する。制御部１０は、画像データを送信するための指示を受け付けると、画像読取部１１に対し、コンタクトガラスに載置されている原稿に基づく画像データを生成させ、通信部２１を介して、生成された画像データを、指定された送信先に送信する。
【００４８】
また、ユーザーは、操作部１５を介して、生成された画像データに基づく画像を印刷するための指示を入力することができる。制御部１０は、当該指示を受け付けると、画像形成部１２等に対し、生成された画像データに基づく画像を記録紙に印刷させる。
【００４９】
なお、ユーザーが、第１の画面５０の表示の中止を所望して、キー５４を押下した場合、制御部１０は、アドレス帳の表示を中止するための指示を受け付けていると判定し（ステップＳ２０にてＹＥＳ）、表示部１６に、設定画面４０を表示させる（ステップＳ２１）。
【００５０】
（２）同報送信を行なう場合
（２−１）過去に同報送信が行なわれた送信先のうちから送信先を指定する場合
ユーザーは、第１の画面５０を確認して、所望の送信先が表示されている領域５１Ａに対してタッチ操作を行なうことで、送信先を指定する。制御部１０は、タッチパネル１５Ａを介して、ユーザーによるタッチ操作を受け付けると、表示部１６に、領域５１Ａを、他の送信先が表示されている領域とは異なる色で表示させる。
【００５１】
ユーザーは、領域５１Ａに対してタッチ操作を行なった後、領域５１Ａから指を離すことなく、領域５１Ａを３秒以上長押ししているものとする。制御部１０は、タッチパネル１５Ａから出力されてくる、領域５１Ａに対するタッチ操作が検出されていることを示す信号に基づいて、領域５１Ａが予め定められている第１時間（この場合、３秒）以上長押しされていると判定すると（ステップＳ１３にてＹＥＳ）、ＨＤＤ１９に記憶されている履歴情報に基づいて、指定された送信先に対して過去に同報送信が行なわれたか否かを判定する（ステップＳ１４）。
【００５２】
ＨＤＤ１９に記憶されている履歴情報に、指定された送信先が含まれている場合、制御部１０は、指定された送信先に対して過去に同報送信が行なわれたと判定し（ステップＳ１４にてＹＥＳ）、ＨＤＤ１９に記憶されている履歴情報に基づいて、表示部１６に、第２の画面を表示させる（ステップＳ１５）。
【００５３】
第２の画面を表示させる際に、制御部１０は、ＨＤＤ１９に記憶されている履歴情報から、指定された送信先に対応付けて記憶されている送信先を抽出する。制御部１０は、抽出された送信先を、同報送信が行なわれた回数の多い順に降順に並び替えて、第２の画面を表示するための第１の表示データを生成する。なお、抽出された送信先に同一の送信先が複数存在する場合、制御部１０は、そのうちの１つの送信先のみを残して第１の表示データを生成する。
【００５４】
図８は、第２の画面の一例を示す図である。図８を参照して、制御部１０は、表示部１６に、上記のようにして生成された第１の表示データに基づいて、第２の画面６０を表示させる。制御部１０は、表示部１６に、第２の画面６０を、第１の画面５０上に重ねて表示させている。制御部１０は、表示部１６に、指定された送信先とともに過去に同報送信が行なわれたことのある送信先を、第２の画面６０内に、第１の情報として表示させる。制御部１０は、表示部１６に、第１の情報としての送信先を、同報送信が行なわれた回数の多い順に降順に並んだ状態で表示させている。
【００５５】
ユーザーが、第２の画面６０を確認して、領域５１Ａに対してタッチ操作を行なってから６秒以内に領域５１Ａから指を離すと、制御部１０は、タッチパネル１５Ａから出力されてくる、領域５１Ａに対するタッチ操作が検出されなくなったことを示す信号に基づいて、長押しが解除されたと判定する（ステップＳ１６にてＹＥＳ）。このとき、制御部１０は、領域５１Ａに対する指定を解除することなく、表示部１６に、領域５１Ａを、他の送信先が表示されている領域とは異なる色で表示されている状態で維持させる。
【００５６】
ユーザーは、第２の画面６０のうち、所望の送信先が表示されている領域６０Ａに対してタッチ操作を行なうことで、送信先を指定する。制御部１０は、タッチパネル１５Ａを介して、ユーザーによるタッチ操作を受け付けると、表示部１６に、領域６０Ａを、他の送信先が表示されている領域とは異なる色で表示させる。ユーザーは、さらに他の送信先を指定する場合は、所望の送信先が表示されている他の領域に対して、上記したタッチ操作を行なうことで、送信先を指定する。
【００５７】
ユーザーは、第２の画面６０において送信先を指定した後、キー５３を押下する。タッチパネル１５Ａを介して、キー５３の押下を受け付けると、制御部１０は、アドレス帳の表示を中止するための指示を受け付けていないと判定するとともに（ステップＳ２０にてＮＯ）、送信先を設定するための指示を受け付けていると判定し（ステップＳ２２にてＹＥＳ）、ユーザーによって指定されている送信先を、画像データの送信先として設定する（ステップＳ２３）。この場合、制御部１０は、領域５１Ａおよび領域６０Ａに表示されている送信先を画像データの送信先として設定する。
【００５８】
ユーザーは、画像データの送信先を設定した後、操作部１５を介して、画像データを送信するための指示を入力する。制御部１０は、画像データを送信するための指示を受け付けると、画像読取部１１に対し、コンタクトガラスに載置されている原稿に基づく画像データを生成させ、通信部２１を介して、生成された画像データを、指定された送信先に送信する。
【００５９】
また、ユーザーは、操作部１５を介して、生成された画像データに基づく画像を印刷するための指示を入力することができる。制御部１０は、当該指示を受け付けると、画像形成部１２等に対し、生成された画像データに基づく画像を記録紙に印刷させる。
【００６０】
（２−２）グループを用いて送信先を指定する場合
ユーザーは、第１の画面５０を確認して、所望の送信先が表示されている領域５１Ａに対してタッチ操作を行なうことで、送信先を指定する。制御部１０は、タッチパネル１５Ａを介して、ユーザーによるタッチ操作を受け付けると、表示部１６に、領域５１Ａを、他の送信先が表示されている領域とは異なる色で表示させる。
【００６１】
ユーザーは、領域５１Ａに対してタッチ操作を行なった後、領域５１Ａから指を離すことなく、領域５１Ａを３秒以上長押ししているものとする。制御部１０は、タッチパネル１５Ａから出力されてくる、領域５１Ａに対するタッチ操作が検出されていることを示す信号に基づいて、領域５１Ａが予め定められている第１時間（この場合、３秒）以上長押しされていると判定すると（ステップＳ１３にてＹＥＳ）、ＨＤＤ１９に記憶されている履歴情報に基づいて、指定された送信先に対して過去に同報送信が行なわれたか否かを判定する（ステップＳ１４）。
【００６２】
ＨＤＤ１９に記憶されている履歴情報に、指定された送信先が含まれていない場合、制御部１０は、指定された送信先に対して過去に同報送信が行なわれていないと判定し（ステップＳ１４にてＮＯ）、タッチパネル１５Ａから出力されてくる信号に基づいて、長押しが解除されたか否かを判定する（ステップＳ１６）。
【００６３】
ユーザーは、領域５１Ａから指を離すことなく、領域５１Ａに対してタッチ操作を行なってから６秒以上領域５１Ａの長押しを続けているものとする。制御部１０は、タッチパネル１５Ａから出力されてくる、領域５１Ａに対するタッチ操作が検出されていることを示す信号に基づいて、領域５１Ａが予め定められている第２時間（この場合、６秒）以上長押しされていると判定すると（ステップＳ１７にてＹＥＳ）、ＨＤＤ１９に記憶されているグループ登録情報に、指定された送信先に対応するグループ名が含まれているか否かを判定する（ステップＳ１８）。
【００６４】
グループ登録情報に、指定された送信先に対応付けられているグループ名が含まれている場合、制御部１０は、対応するグループ名が含まれていると判定し（ステップＳ１８にてＹＥＳ）、グループ登録情報に基づいて、表示部１６に、第３の画面を表示させる（ステップＳ１９）。
【００６５】
なお、グループ登録情報に、指定された送信先に対応付けられているグループ名が含まれていない場合、制御部１０は、対応するグループ名が含まれていないと判定し（ステップＳ１８にてＮＯ）、ステップＳ２０の処理に進む。
【００６６】
第３の画面を表示させる際に、制御部１０は、ＨＤＤ１９に記憶されているグループ登録情報から、指定された送信先に対応付けられているグループ名を抽出する。制御部１０は、抽出したグループ名に基づいて、第３の画面を表示するための第２の表示データを生成する。
【００６７】
図９は、第３の画面の一例を示す図である。図９を参照して、制御部１０は、表示部１６に、上記のようにして生成された第２の表示データに基づいて、第３の画面７０を表示させる。制御部１０は、表示部１６に、第３の画面７０を、第１の画面５０上に重ねて表示させている。制御部１０は、表示部１６に、指定された送信先に対応付けられているグループ名を、第３の画面７０内に、第２の情報として表示させる。
【００６８】
ユーザーは、第３の画面７０のうち、所望のグループ名が表示されている領域７０Ａに対してタッチ操作を行なうことで、送信先を指定する。制御部１０は、タッチパネル１５Ａを介して、ユーザーによるタッチ操作を受け付けると、表示部１６に、領域７０Ａを、他の送信先が表示されている領域とは異なる色で表示させる。ユーザーは、さらに他のグループを指定する場合は、所望のグループ名が表示されている他の領域に対して、上記したタッチ操作を行なうことで、送信先を指定する。
【００６９】
第３の画面７０において送信先を指定した後、ユーザーは、キー５３を押下する。タッチパネル１５Ａを介して、キー５３の押下を受け付けると、制御部１０は、アドレス帳の表示を中止するための指示を受け付けていないと判定するとともに（ステップＳ２０にてＮＯ）、送信先を設定するための指示を受け付けていると判定し（ステップＳ２２にてＹＥＳ）、ユーザーによって指定されている送信先を、画像データの送信先として設定する（ステップＳ２３）。この場合、制御部１０は、領域５１Ａに表示されている送信先と、領域７０Ａに表示されているグループ名に対応付けられている複数の送信先のうちの、領域５１Ａに表示されている送信先以外の送信先とを、画像データの送信先として設定する。
【００７０】
ユーザーは、画像データの送信先を設定した後、操作部１５を介して、画像データを送信するための指示を入力する。制御部１０は、画像データを送信するための指示を受け付けると、画像読取部１１に対し、コンタクトガラスに載置されている原稿に基づく画像データを生成させ、通信部２１を介して、生成された画像データを指定された送信先に送信する。
【００７１】
また、ユーザーは、操作部１５を介して、生成された画像データに基づく画像を印刷するための指示を入力することができる。制御部１０は、当該指示を受け付けると、画像形成部１２等に対し、生成された画像データに基づく画像を記録紙に印刷させる。
【００７２】
上記実施の形態によれば、制御部１０は、同報送信が行なわれると、当該同報送信が行なわれた複数の送信先をそれぞれ対応付けて、履歴情報としてＨＤＤ１９に記憶させる。制御部１０は、操作部１５を介して指定された送信先が履歴情報に含まれている場合に、表示部１６に、指定された送信先に対応付けてＨＤＤ１９に記憶されている送信先を、第１の情報として表示させる。
【００７３】
これによって、同報送信を行なう送信先を指定する際に、ユーザーによって同報送信の送信先として指定される可能性の高い送信先が表示されるので、ユーザーは、同報送信を行なう際に、所望する送信先を容易に指定することができる。また、誤った送信先が指定されたり、送信先の指定漏れが生じたりする可能性が低くなるので、ユーザーは、同報送信を行なう際に、所望する送信先を正確に指定することができる。
【００７４】
また、同報送信が行なわれると、制御部１０が履歴情報をＨＤＤ１９に記憶させるので、ユーザーは、第１の情報を表示させるために、過去に同報送信が行なわれたことのある複数の送信先を予め登録しておく必要がなくなる。したがって、登録に要するユーザーの手間を省くことができるので、ユーザーの利便性がより一層向上する。
【００７５】
また上記実施の形態によれば、制御部１０は、操作部１５を介して送信先が指定され、かつ、タッチパネル１５Ａ上で領域５１Ａが第１時間以上長押しされた場合であって、指定された送信先が履歴情報に含まれている場合に、表示部１６に、第１の情報を表示させる。なお、領域５１Ａを第１時間以上長押しする操作は、特許請求の範囲における、予め定められている第１の操作の一例である。
【００７６】
このように、ユーザーは、タッチパネル１５Ａ上で領域５１Ａを第１時間（例えば、３秒）以上長押しするという簡単な操作によって、表示部１６に第１の情報を表示させることができる。したがって、ユーザーの利便性がより一層向上する。
【００７７】
また上記実施の形態によれば、ＨＤＤ１９は、複数の送信先を、グループを特定するためのグループ名と対応付けて予め記憶しており、制御部１０は、ＨＤＤ１９に、操作部１５を介して指定された送信先に対応付けられているグループ名が記憶されている場合に、表示部１６に、当該グループ名を第２の情報として表示させる。なお、グループ名は、特許請求の範囲におけるグループ情報の一例である。
【００７８】
このように、同報送信を行なう送信先を指定する際に、ユーザーによって同報送信の送信先として指定される可能性の高い送信先を含むグループ名が表示される。したがって、ユーザーは、同報送信を行なう際に、所望する送信先をより一層容易に指定することができる。また、誤った送信先が指定されたり、送信先の指定漏れが生じたりする可能性がさらに低くなるので、ユーザーは、同報送信を行なう際に、所望する送信先をより一層正確に指定することができる。
【００７９】
また上記実施の形態によれば、制御部１０は、操作部１５を介して送信先が指定され、かつ、タッチパネル１５Ａ上で領域５１Ａが第２時間以上長押しされた場合であって、ＨＤＤ１９に、指定された送信先に対応付けられているグループ名が記憶されている場合に、表示部１６に、第２の情報を表示させる。なお、領域５１Ａを第２時間以上長押しする操作は、特許請求の範囲における、予め定められている第２の操作の一例である。
【００８０】
このように、ユーザーは、タッチパネル１５Ａを第２時間（例えば、６秒）以上長押しするという簡単な操作によって、表示部１６に第２の情報を表示させることができる。したがって、ユーザーの利便性がより一層向上する。
【００８１】
また上記実施の形態によれば、制御部１０は、操作部１５を介して、生成された画像データに基づく画像を印刷するための指示を受け付けると、画像形成部１２等に対し、当該画像データに基づく画像を記録紙に印刷させる。
【００８２】
これによって、ユーザーは、画像データを送信する際に、送信対象の画像データの内容を確認することができるので、ユーザーの利便性がより一層向上する。
【００８３】
（第１の変形例）
本発明の第１の変形例に係る送信装置２を含む画像形成装置１の構成は、第２の画面の構成が異なる点を除き、上記した実施の形態に係る画像形成装置１と同じである。以下、上記した実施の形態と異なる点について説明する。
【００８４】
第２の画面を表示させる際に、制御部１０は、ＨＤＤ１９に記憶されている履歴情報から、指定された送信先に対応付けて記憶されている送信先を送信ジョブごとに抽出する。制御部１０は、抽出した送信ジョブごとの送信先に対応する送信先名を、同報送信が行なわれた日時の古い順に、すなわち昇順に、送信ジョブごとに並び替えて、第２の画面を表示するための第３の表示データを生成する。
【００８５】
図１０は、第２の画面の他の一例を示す図である。図１０を参照して、制御部１０は、表示部１６に、上記のようにして生成された第３の表示データに基づいて、第２の画面８０を表示させる。制御部１０は、表示部１６に、第２の画面８０を、第１の画面５０上に重ねて表示させている。制御部１０は、表示部１６に、指定された送信先とともに過去に同報送信が行なわれたことのある送信先に対応する送信先名を、第２の画面８０内に、送信ジョブごとに第１の情報として表示させる。制御部１０は、表示部１６に、第１の情報としての送信先名を、同報送信が行なわれた日時の古い順に、送信ジョブごとに並んだ状態で表示させている。
【００８６】
ユーザーは、第２の画面８０を確認して、所望の送信先が表示されている領域８０Ａに対してタッチ操作を行なうことで、送信先を指定する。制御部１０は、タッチパネル１５Ａを介して、ユーザーによるタッチ操作を受け付けると、表示部１６に、領域８０Ａを、他の送信先が表示されている領域とは異なる色で表示させる。ユーザーによる上記したタッチ操作によって、領域８０Ａに示されている全ての送信先名に対応する送信先が、画像データの送信先として指定される。ユーザーは、さらに他の送信先を指定する場合は、所望の送信先が表示されている他の領域に対して、上記したタッチ操作を行なうことで、送信先を指定する。
【００８７】
（その他の変形例）
上記実施の形態によれば、第３の画面７０には、指定された送信先に対応付けられているグループ名が表示されたが、本発明はそのような実施の形態に限定されない。例えば、第３の画面７０には、グループ名に代えて、当該グループ名に対応付けられている複数の送信先のうち、指定された送信先以外の送信先が表示されてもよい。
【００８８】
また、ユーザーによって、第３の画面７０のうち、所望のグループ名が表示されている領域７０Ａが長押しされた場合に、制御部１０が、グループ名の表示を、当該グループ名に対応付けられている複数の送信先のうち、指定された送信先以外の送信先を表示するように、当該表示を切り替える構成であってもよい。
【００８９】
また上記実施の形態によれば、予め定められている第１の操作として、第１時間以上長押しする操作を例示したが、本発明はそのような実施の形態に限定されない。例えば、第２の画面６０又は第２の画面８０上の２点を同時にタッチする操作、第２の画面６０若しくは第２の画面８０上をスワイプする操作又はフリックする操作が、第１の操作として予め定められていてもよい。
【００９０】
また上記実施の形態によれば、予め定められている第２の操作として、第２時間以上長押しする操作を例示したが、本発明はそのような実施の形態に限定されない。例えば、第３の画面７０上の２点を同時にタッチする操作、第３の画面７０上をスワイプする操作又はフリックする操作が、第２の操作として予め定められていてもよい。
【００９１】
また上記実施の形態によれば、グループ情報としてグループ名が使用されたが、本発明はそのような実施の形態に限定されない。グループ情報は、グループを特定できる情報であれば特に限定されないが、例えば、グループＩＤ(Identification)、又はグループ番号等であってもよい。
【００９２】
また上記実施の形態によれば、画像取得部として画像読取部１１を例示したが、本発明はそのような実施の形態に限定されない。例えば、ＨＤＤ１９に画像データが予め記憶されており、制御部１０が、ユーザーによって操作部１５を介して選択された当該画像データを、指定された送信先に送信する構成であってもよい。この場合、ＨＤＤ１９が画像取得部として機能する。
【００９３】
また上記実施の形態では、画像形成部１２等は、記録紙に画像を形成したが、本発明はそのような実施の形態に限定されない。画像形成部１２等は、記録紙に限らず、他の記録媒体に画像を形成してもよい。他の記録媒体としては、例えば、ＯＨＰ（Overhead Projector）シートを例示できる。
【００９４】
なお、本発明は上記実施の形態の構成に限られず種々の変形が可能である。例えば、上記実施形態では、本発明に係る画像形成装置の一実施形態としてカラー複合機が用いられたが、これは一例に過ぎず、モノクロ複合機、又は他の電子機器、例えば、プリンター、コピー機、又はファクシミリ装置等の他の画像形成装置が用いられてもよい。
【００９５】
また、図１乃至図１０を用いて示した上記実施形態の構成及び処理は、本発明の一実施形態に過ぎず、本発明を当該構成及び処理に限定する趣旨ではない。
【国際調査報告】
2019230163.tif 000013
2019230163.tif 000014
2019230163.tif 000015
2019230163.tif 000016